(57)【要約】      （修正有）【課題】コンパクトで手軽に携帯ができ、簡単な操作で無駄なく最後まで内容物を使い切ることができるチューブ絞り出し器を提供する。【解決手段】回転ローラ１に軸芯固定パイプ３を差し込み、軸芯固定パイプ３の左右に回転ローラ１、２のずれ防止具４を取り付け、軸芯固定パイプ３の左右からヘアピン状軸芯５、６のＡ部分を差し込むと同時にＢ部分を回転ローラ２の左右から差し込み、ヘアピン状軸芯５、６がバネの役目をして挟む力を回転ローラ１、２に伝動しチューブを挟み込むため、チューブの厚みや大きさの可変にも対応するもので、回転ローラ１、２の間にチューブの底の部分を挟み込み引き上げることにより、回転ローラ１，２がチューブを挟み込み内容物を無駄なく簡単な操作で絞り出すことができる。内容物を絞り出した底の部分が内容物の入っている部分より長くなって携帯に不便なときは、携帯に便利な巻き取り式として使用することができる。【選択図】図２
2014231390.tif 000002
【特許請求の範囲】
【請求項１】
回転ローラ１に軸芯固定パイプ３を差し込み、軸芯固定パイプ３の左右に回転ローラ１、２のずれ防止具４を取り付け、軸芯固定パイプ３の左右からヘアピン状軸芯５、６のＡ部分を差し込むと同時にＢ部分を回転ローラ２の左右から差し込み、軸芯のＡ部分は長いものと短いものにすることにより形成され、ヘアピン状軸芯がバネの役目をして挟む力を回転ローラ１、２に伝動しチューブを挟み込むために、チューブの厚みや大きさの可変にも対応するもので、回転ローラ１、２の間に三分の一ほど使用したチューブの底の部分を挟み込み引き上げることにより、ヘアピン状軸芯の強い挟む力によりチューブの内容物を無駄なく簡単に絞り出す。また、チューブ内容物を半分以上使ってチューブ絞り出し器を境に、内容物を絞り出した底の部分が内容物の入っている部分より長くなって携帯が不便になったときチューブ絞り出し器を一旦底の方まで引き戻しチューブ絞り出し器の回転ローラ１、２にチューブを巻き付け、ヘアピン状軸芯５のＢ部分を回転ローラ２から抜いて向きを変えチューブの上になるように差し込み、ヘアピン状軸芯６は回転ローラ１、２から抜きＢ部分がチューブの上になるようにしてＡ部分を回転ローラ１に差し込んで、かさ張らない携帯に便利な巻き取り式としても使用できる二通りの使い方を兼ね備えた特徴を有するチューブ絞り出し器。
【請求項２】
前記ヘアピン状軸芯５、６はバネの役目をし、回転ローラ１、２を力強く挟み込み回転ローラ１、２に挟んだチューブを締め付け無駄なくチューブ内容物を絞り出すことを特徴する請求項１に記載のチューブ絞り出し器。
【請求項３】
請求項１のヘアピン状軸芯５、６は長いものと短いものにし、チューブを回転ローラに挟む際、軸芯を軸芯固定パイプ３から抜いてしまうことなく、回転ローラ２からのみ抜いて向きを変えて、回転ローラ１、２の間を少し広げてチューブを挟み込むことを特徴とするチューブ絞り出し器。
【請求項４】
請求項１のヘアピン状軸芯５、６は回転ローラ１、２の間にチューブを挟んで軸芯のＢ部分を回転ローラ２に差し込む際、容易に差し込めるようにＢ部分を削ってあることを特徴とするチューブ絞り出し器。
【請求項５】
請求項１のヘアピン状軸芯５、６はチューブを回転ローラ１、２に巻き取った際、挟む力を利用して巻き戻らないように固定することを特徴とするチューブ絞り出し器。
【発明の詳細な説明】
【技術分野】
【０００１】本発明は、パイプ２本に左右からヘアピン状軸芯を差し込みパイプを回動可能にして、途中まで使用したチューブの後端をパイプとパイプの間に挟んで引っ張り上げ内容物を出口の方に絞り集め、その位置に置くことで後方への逆流を防ぎ、チューブ絞り出し器をねじることにより適量を出すこと。また、携帯が便利なように巻き取り式としても使用ができる二通りの使い方を兼ね備えたチューブ絞り出し器に関するものである。
【背景技術】
【０００２】本来チューブの絞り出しは、指で絞り出すことが多い。しかし、それでは丁寧に万弁なく絞らないと逆流したりして残り無駄が発生するし、かなりの手間がかかる。最近ではチューブを巻き付けながら絞り出す巻き付け方式のチューブ絞り出し器や、チューブの厚さにあわせた一定の隙間を設け、その隙間を通過させることにより絞り出す方式のチューブ絞り出し器など、他にも簡単なものから複雑なものまでいろいろ散見されるが、巻き付け方式ですと手間がかかるし無駄なく確実に絞り出すことができない。また、一定の隙間を通過させる方式では、チューブの底の部分が若干分厚くなっていことから隙間を狭くすると差し込みにくくなり、底の厚みにあわせた隙間にすると絞る際挟む力が緩くなり逆流する。また、チューブの厚みもいろんな厚みのものがあるので、すべてのチューブの厚みに対応できず逆流したりして、結局は指で回転ローラを押さえて隙間の調整をしながら押し上げなければならなくなり、手間がかかるし無駄なく確実に絞り出すことが困難になる。また簡単なものは耐久性や使い勝手に問題があり、複雑なものはかさ張ったりコストに問題がある。このように、いずれの方式も安い費用で手軽に持ち運びができ尚かつ簡単な操作で無駄なく絞り出すといった条件を兼ね備えたものがない。
【先行技術文献】
【０００３】
【特許文献】
【特許文献】登録実用新案第３１６５７１８号
【発明の概要】
【発明が解決しようとする課題】
【０００４】チューブに入った内容物は、ある程度使用するとどんなに上手に指で押しても隙間に内容物が残ったり逆流したりして無駄なく確実に使い切ることが困難である。内容物を確実に使い切るには内容物を出口の方に絞り集めるときに、逆流しないようにする工夫が必要である。また、操作も簡単で費用も安く手軽に持ち運びが出来るものでなくてはならない。
【課題を解決するための手段】
【０００５】回転ローラ１に軸芯固定パイプ３を差し込み、軸芯固定パイプ３の左右から回転ローラ１、２のずれ防止具４を取り付け、軸芯固定パイプ３の左右からヘアピン状軸芯５、６のＡ部分を差し込むと同時にＢ部分を回転ローラ２の左右から差し込み、軸芯のＡ部分は長いものと短いものにすることにより形成され、、ヘアピン状軸芯５、６がバネの役目をして挟む力を回転ローラ１、２に伝動しチューブを挟み込むために、チューブの厚みや大きさの可変にも対応するもので、回転ローラ１、２の間に三分の一ほど使用したチューブの底の部分を挟み込み引き上げる簡単な操作で、ヘアピン状軸芯の強い挟む力によりチューブ内容物を無駄なく簡単に絞り出すことを特徴とする。【０００６】チューブ内容物を半分以上使って、チューブ絞り出し器を境に内容物を絞り出した底の部分が内容物の入っている部分より長くなって携帯に不便になときはチューブ絞り器を一旦底の方まで引き戻しチューブ絞り出し器の回転ローラ１、２にチューブを巻き付け、ヘアピン状軸芯５のＢ部分を回転ローラ２から抜き向きを変えてチューブの上になるように差し込み、ヘアピン状軸芯６は回転ローラ１、２から抜きＢ部分がチューブの上になるようにしてＡ部分を回転ローラ１に差し込んでかさ張らない携帯に便利な巻き取り式として使用できることを特徴とする。【０００７】材料は、プラスチックとアルミ又は金属を使用するため、コンパクトで耐久性にも優れ持ち運びに便利であることを特徴とする。【０００８】チューブ内容物を使い切ったときは、ヘアピン状軸芯５を抜いて、空のチューブを取り外し繰り返し使用できることを特徴とする。。
【発明の効果】
【０００９】ヘアピン状軸芯の挟み込む強い力が回転ローラに伝動し、回転ローラがチューブを力強く挟み込むため指で回転ローラを押さえれることなく、確実にチューブ内容物を絞り出すことができる。【００１０】本体はコンパクトで手軽に携帯ができ、旅行などにも本体のみを携帯することもできるし、またチューブ入りのハンドクリームや化粧品に装着したままでも手軽に携帯ができる。【００１１】内容物を使い切った後は片方のヘアピン状軸芯を抜いて空のチューブを取り外すことにより繰り返し使うことができ、使用材料はプラスチックとアルミもしくは金属を使用するので耐久性に優れており、繰り返し永く使用できることから簡単な操作で費用も安く手軽に使用できる。
【図面の簡単な説明】
【００１２】
【図１】本発明のチューブ絞り出し器の正面図を示す。図において１、２は回転ローラ、３は軸芯固定パイプ、４は回転ローラのずれ防止具、５、６はヘアピン状軸芯を示す。
【図２】本発明のチューブ絞り出し器の正面断面図を示す。図において１、２は回転ローラ、３は軸芯固定パイプ、４は回転ローラのずれ防止具、５、６はヘアピン状軸芯、Ａはヘアピン状軸芯の平面になった先、Ｂはヘアピン状軸芯のとんがった先を示す。
【図３】本発明のチューブ絞り出し器をチューブに取り付けるための準備状況の説明図で、三分の一ほど使用したチューブを平らなところに置き一番底の部分を指で押さえ、チューブ絞り出し器本体の細い方の回転ローラーを親指と人差し指でつまみ、太い方の回転ローラをチューブの底の部分にあて平らな面に押しつけるようにチューブ出口の方に押し上げ、底の部分から２センチから３センチ程度内容物をチューブ出口の方に絞りチューブ絞り出し器を取り付ける。
【図４】本発明のチューブ絞り出し器をチューブに取り付ける状況の説明図で、ヘアピン状軸芯５のＢ部分を回転ローラ２から抜きいて向きを変え、回転ローラ１と回転ローラ２の間を少し広げてチューブ底の部分の角から差し込み回転ローラの中央にチューブがくるようにセットして、抜いた軸芯５のＢ部分を回転ローラ２に差し込む。回転ローラ１と回転ローラ２の間を広げる際、広げすぎるとヘアピン状軸芯のバネが馬鹿になり挟む力が落ちて内容物を絞り出せなくなるので広げすぎに注意する。
【図５】本発明のチューブ絞り出し器を使用してチューブ内容物をチューブ出口の方に絞り集める状況の説明図で、人差し指と親指でチューブの後端を摘み、反対の手の中指と親指でチューブ絞り出し器のヘアピン状軸芯５、６を挟むように持ちチューブ出口の方に引き上げる。
【図６】本発明のチューブ絞り出し器を使用して内容物を押し出している状況の説明図で、チューブ絞り出し器は内容物を出口の方に絞った状態で止めて、止めた場所でチューブ絞り出し器を人差し指と親指でねじって必要量を押し出す。
【図７】本発明のチューブ絞り出し器を携帯に便利な巻き取り式として使用している状況の説明図で、回転ローラ１、２  にチューブを巻き取りヘアピン状軸芯５、６でチューブが巻き戻らないように固定する。
【発明を実施するための形態】
【００１３】回転ローラ１に軸芯固定パイプ３を差し込み、軸芯固定パイプ３の左右に回転ローラ１、２のずれ防止具４を取り付け、軸芯固定パイプ３の左右からヘアピン状軸芯５、６のＡ部分を差し込むと同時にＢ部分を回転ローラ２の左右から差し込み、軸芯のＡ部分は長いものと短いものにすることにより形成され、ヘアピン状軸芯がバネの役目をして挟む力を回転ローラ１、２に伝動しチューブを挟み込むために、チューブの厚みや大きさの可変にも対応するもので、回転ローラ１、２の間に三分の一ほど使用したチューブの底の部分を挟み込み引き上げることにより、ヘアピン状軸芯の強い挟む力によりチューブの内容物を無駄なく簡単に絞り出すことを特徴とするチューブ絞り出し器。
【００１４】チューブ内容物を半分以上使って、チューブ絞り出し器を境に内容物を絞り出した底の部分が内容物の入っている部分より長くなり携帯に不便になときは、チューブ絞り出し器を一旦底の方まで引き戻しチューブ絞り出し器の回転ローラ１、２にチューブを巻き付け、ヘアピン状軸芯５のＢ部分を回転ローラ２から抜いて向きを変えチューブの上になるように差し込み、ヘアピン状軸芯６は回転ローラ１、２から抜きＢ部分がチューブの上になるようにしてＡ部分を回転ローラ１に差し込むことでかさ張らない携帯に便利な巻き取り式として使用できることを特徴とするチューブ絞り出し器。
【実施例】
【００１５】本発明は、三分の一ほど使用したチューブを平らなところに置き一番底の部分を指で押さえ、チューブ絞り出し器本体の細い方の回転ローラーを親指と人差し指でつまみ、太い方の回転ローラをチューブの底の端の部分にあて平らな面に押しつけるようにチューブ出口の方に押し上げ、底の部分から２センチから３センチ程度内容物をチューブ出口の方に絞り集めたところでチューブ絞り出し器を取り付ける。【００１６】チューブ絞り出し器の長いヘアピン状軸芯のとっがった方を回転ローラから抜き、回転ローラと回転ローラの間を少し広げて、広げた回転ローラと回転ローラの間に内容物が入っていない底の部分を親指と人差し指で摘める程度出して挟み、抜いたヘアピン状軸芯を回転ローラに差し込み、両方のヘアピン状軸芯の端を親指と中指で挟むように持ち、回転ローラから出た底の部分を反対の手の親指と人差し指で摘み引っ張るとチューブ絞り出し器のヘアピン状軸芯の挟む力が回転ローラに伝動し回転ローラと回転ローラの間に挟んだチューブを挟み込み逆流することなくチューブ内容物を出口の方に絞り集めることができる。【００１７】内容物をチューブ出口の方に絞り集めることが出来ると、その位置にチューブ絞り出し器を置いたままにして内容物の逆流を防ぎ、人差し指でチューブの下側から回転ローラとチューブを支えて手前に引くように力を加え、親指で上になった方の回転ローラを押すように力を加えチューブを回転ローラでねじるように力を加えるとチューブ内容物を絞り出すことができ、力加減によって量を調整して絞り出すことができる。内容量が減ると再びチューブ絞り出し器を引き上げ、チューブ絞り出し器をねじって適量を出すと言ったように、これを繰り返すことにより、逆流することがなく確実に使い切ることができる。【００１８】チューブ内容物を半分以上使ってチューブ絞り出し器を境に、内容物を絞り出した底の部分が内容物の入っている部分より長くなって携帯に不便になときはチューブ絞り器を一旦底の方まで引き戻しチューブ絞り出し器の回転ローラ２本にチューブを巻き付け左右から差し込んだアピン状軸芯のとんがった方をチューブの上になるようにして差込んで固定することにより、かさ張らない携帯に便利な巻き取り式として使用できる。
【産業上の利用可能性】
【００１９】歯磨き、ハンドクリーム、化粧品、絵の具、わさび等チューブ入り食品等
【符号の説明】
【００２０】１回転ローラ
２回転ローラ
３軸心固定パイプ
４回転ローラずれ防止具
５長いヘアピン状軸芯
６短いヘアピン状軸芯
Ａヘアピン状軸芯の平面になった先
Ｂヘアピン状軸芯のとんがった先
【図１】
2014231390.tif 000003
【図２】
2014231390.tif 000004
【図３】
2014231390.tif 000005
【図４】
2014231390.tif 000006
【図５】
2014231390.tif 000007
【図６】
2014231390.tif 000008
【図７】
2014231390.tif 000009